(57)【要約】【課題】必要開封トルクが過大になることがなく、口頸部（４６）の密封が解除される前に周方向破断ライン（１２）が充分確実に破断せしめられ、そしてまた充分な耐衝撃性を有すると共に適切なブローオフ特性を有する容器蓋（２）を提供する。【解決手段】シェル（４）の天面壁（８）の内面上で型押成形され天面壁の内面に固定される合成樹脂製ライナーに代えて、シェルとは別個に成形されシェルに対して自由に移動することができる合成樹脂製パッキン（６）を採用し、かかるパッキンを周縁部下面から垂下する環状外側シールリング（３６）、環状外側シールリングの下面から更に垂下する環状付加垂下部（４０）、及び外側シールリングの外側に位置する環状フランジ（４２）を有する形態にせしめ、外側シールリング、付加垂下部及びフランジを夫々特定の形態にせしめる。【選択図】          図２
2006151405.tif 000002
【特許請求の範囲】
【請求項１】
金属薄板製シェルと合成樹脂製パッキンとから構成され、該シェルは天面壁と該天面壁の周縁から垂下するスカート壁とを有し、該スカート壁には周方向に延在する周方向破断ラインが形成されており、該スカート壁は該周方向破断ラインよりも上方の主部と該周方向破断ラインよりも下方のタンパーエビデント裾部とに区画されており、該主部の上部には周方向に間隔をおいて複数個の通気孔が配設されており、該通気孔の各々は実質上水平に延びる横スリットを形成して該横スリットの下方部を半径方向内方に強制して内方変位部を生成することによって形成されている容器蓋において、
該パッキンは全体として円板形状の主壁部、該主壁部の周縁部下面から垂下する環状外側シールリング、該外側シールリングの下面から更に垂下する付加垂下部、及び該外側シールリングの外側に位置する環状フランジを有し、
該外側シールリングの内周面は容器蓋を容器の口頸部に装着する前の状態において容器蓋の中心軸線に対して２０乃至４０度の傾斜角度αをなして下方に向かって半径方向外方に傾斜する円錐台形状であり、容器蓋を容器の口頸部に装着すると口頸部の外周面上部に密接せしめられ、
該付加垂下部の内周面は該外側シールリングの内周面に対して半径方向外側に変位せしめられていて、容器蓋を容器の口頸部に装着した状態においても容器の口頸部に実質上密接せしめられることがなく、該付加垂下部の外周面は半径方向において該シェルの該内方変位部の直ぐ内側に位置し、
該フランジの下面は容器蓋を容器の口頸部に装着した状態において該シェルの該内方変位部の上端縁の上方に０．３乃至３．５ｍｍである間隔Ｄ１をおいて対向して位置する、
ことを特徴とする容器蓋。
【請求項２】
容器蓋を容器の口頸部に装着した状態において該パッキンの該フランジの下面外周縁と該シェルの該内方変位部の該上端縁の最小内周縁との半径方向間隔Ｄ２は０．１乃至１．０ｍｍである、請求項１記載の容器蓋。
【請求項３】
容器蓋を容器の口頸部に装着した状態において該パッキンの該付加垂下部の該外周面は下方に向かって半径方向内方に傾斜する逆円錐台形状をなし、半径方向において該付加垂下部の該外周面上端と該シェルの該内方変位部の該上端縁の最小内周縁とは実質上整合せしめられている、請求項１又は２記載の容器蓋。
【請求項４】
該パッキンの周縁部上面には環状突条が形成されており、該環状突条が該シェルの該天面壁の内面に当接せしめられる、請求項１から３までのいずれかに記載の容器蓋。
【請求項５】
該パッキンの下面には該外側シールリングから半径方向内方に間隔をおいて垂下する環状内側リングも形成されており、容器蓋を容器の口頸部に装着した状態において該内側リングは容器の口頸部内に挿入せしめられる、請求項１から４までのいずれかに記載の容器蓋。
【請求項６】
容器の口頸部に装着される際には該シェルの該天面壁と該スカート壁との境界部が下方及び半径方向内方に没入せしめられる、請求項１から５までのいずれかに記載の容器蓋。
【発明の詳細な説明】
【技術分野】
【０００１】
本発明は、天面壁とこの天面壁の周縁から垂下するスカート壁とを有する金属薄板製シェルとかかるシェル内に挿入される全体として円板形状である合成樹脂製パッキンとから構成された容器蓋に関する。
【背景技術】
【０００２】
周知の如く、近時においては、コーヒ等の飲料のための容器として、上端にはカールが形成され外周面には雄螺条と係止あご部とが形成されている金属薄板製容器が広く実用に供されている。そして、かような金属薄板製容器に適した容器蓋として下記特許文献１及び２に開示されている如く、金属薄板製シェルと合成樹脂製ライナーとから構成された容器蓋が提案されている。シェルは天面壁とこの天面壁の周縁から垂下するスカート壁とを有し、スカート壁には周方向に延在する周方向破断ラインが形成されており、スカート壁は周方向破断ラインよりも上方の主部と周方向破断ラインよりも下方のタンパーエビデント裾部とに区画されている。スカート壁の主部の上部には周方向に間隔をおいて複数個の通気孔が形成されている。かかる通気孔の各々は実質上水平に延びる横スリットを形成してかかるスリットの下方部を半径方向内方に強制して内方変位部を生成することによって形成されている。合成樹脂製ライナーはシェルの天面壁の内面に軟化乃至溶融状態の合成樹脂素材を供給し、かかる合成樹脂素材を所要形状に型押成形することによって形成され、シェルの天面壁の内面に固定されている。
【０００３】
容器の口頸部に容器蓋を装着して口頸部を密封する際には、口頸部に容器蓋を被嵌して下方に押圧し、そしてまた通常はシェルの天面壁とスカート壁との境界部を下方及び半径方向内方に没入せしめてライナーを口頸部に密接せしめる。かかる状態を維持しながら、シェルの主部に口頸部の雄螺条に対応して雌螺条を形成し、そしてまたタンパーエビデント裾部の下部を半径方向内方に変形せしめて口頸部の係止あご部に係止する。口頸部を開封する際には容器を開方向に回転せしめる。かくすると、シェルの雌螺条が口頸部の雄螺条に沿って移動せしめられる故に、容器蓋は回転と共に上昇せしめられる。しかしながら、タンパーエビデント裾部はその下部が口頸部の係止あご部に係止されている故に上昇が阻止され、従って周方向破断ラインに相当な応力が生成され、周方向破断ラインが破断されてタンパーエビデント裾部がスカート壁の主部から切り離される。しかる後においては、タンパーエビデント裾部を口頸部に残留せしめて容器蓋は回転と共に上昇せしめられ口頸部から離脱され、口頸部が開封される。タンパーエビデント裾部に軸線方向破断ラインが形成されている場合には、周方向破断ラインの一部は破断されることなく維持され、軸線方向破断ラインが破断されて、タンパーエビデント裾部が無端環状形状から有端帯形状に展開され、タンパーエビデント裾部を含む容器蓋の全体が口頸部から離脱される。
【特許文献１】特開２００１−１３９０５３号公報
【特許文献２】特開２００３−１７５９６２号公報
【発明の開示】
【発明が解決しようとする課題】
【０００４】
而して、上述した金属薄板製容器に限らず種々の形態の容器に適用される容器蓋においては、容器の口頸部を開封する際に容器蓋に加えなければならない必要開封トルクが過大にならず女性乃至子供でも容易に開封できること、及び口頸部の密封が解除される前に周方向破断ラインが充分確実に破断され、タンパーエビデント特性が充分確実に確保されていることが重要である。そして更に、充分な耐衝撃性を有すること、即ち容器蓋が装着された容器が倒立状態で落下されて容器蓋に相当の衝撃が加えられても口頸部の密封が毀損されることなく維持されること、及び所謂ブローオフ特性を有すること、即ち例えば容器内容物が過剰に加熱される等によって容器内の圧力が過剰に上昇した場合には密封が解除されて内圧が開放され、容器の破裂或いは容器蓋の飛翔が回避されることが重要である。しかしながら、本発明者等の経験によれば、上述した従来の容器蓋はこれらの必要要件を必ずしも確実に満足することができない。
【０００５】
本発明は上記事実に鑑みてなされたものであり、その主たる技術的課題は、必要開封トルクが過大になることがなく、口頸部の密封が解除される前に周方向破断ラインが充分確実に破断せしめられ、そしてまた充分な耐衝撃性を有すると共に適切なブローオフ特性を有する、特にそれに限定されるものではないが特に金属薄板製容器に適する容器蓋を提供することである。
【課題を解決するための手段】
【０００６】
本発明者等は、鋭意研究の結果、シェルの天面壁の内面上で型押成形され天面壁の内面に固定される合成樹脂製ライナーに代えて、シェルとは別個に成形されシェルに対して自由に移動することができる合成樹脂製パッキンを採用し、かかるパッキンを周縁部下面から垂下する環状外側シールリング、環状外側シールリングの下面から更に垂下する環状付加垂下部、及び外側シールリングの外側に位置する環状フランジを有する形態にせしめ、外側シールリング、付加垂下部及びフランジを夫々特定の形態にせしめることによって、上記主たる技術的課題を達成することができることを見出した。
【０００７】
即ち、本発明によれば、上記主たる技術的課題を達成する容器蓋として、  金属薄板製シェルと合成樹脂製パッキンとから構成され、該シェルは天面壁と該天面壁の周縁から垂下するスカート壁とを有し、該スカート壁には周方向に延在する周方向破断ラインが形成されており、該スカート壁は該周方向破断ラインよりも上方の主部と該周方向破断ラインよりも下方のタンパーエビデント裾部とに区画されており、該主部の上部には周方向に間隔をおいて複数個の通気孔が配設されており、該通気孔の各々は実質上水平に延びる横スリットを形成して該横スリットの下方部を半径方向内方に強制して内方変位部を生成することによって形成されている容器蓋において、
該パッキンは全体として円板形状である主壁部、外主壁部の周縁部下面から垂下する環状外側シールリング、該外側シールリングの下面から更に垂下する付加垂下部、及び該外側シールリングの外側に位置する環状フランジを有し、
該外側シールリングの内周面は容器蓋を容器の口頸部に装着する前の状態において容器蓋の中心軸線に対して２０乃至４０度の傾斜角度αをなして下方に向かって半径方向外方に傾斜する円錐台形状であり、容器蓋を容器の口頸部に装着すると口頸部の外周面上部に密接せしめられ、
該付加垂下部の内周面は該外側シールリングの内周面に対して半径方向外側に変位せしめられていて、容器蓋を容器の口頸部に装着した状態においても容器の口頸部に実質上密接せしめられることがなく、該付加垂下部の外周面は半径方向において該シェルの該内方変位部の直ぐ内側に位置し、
該フランジの下面は容器蓋を容器の口頸部に装着した状態において該シェルの該内方変位部の上端縁の上方に０．３乃至３．５ｍｍである間隔Ｄ１をおいて対向して位置する、
ことを特徴とする容器蓋が提供される。
【０００８】
好ましくは、容器蓋を容器の口頸部に装着した状態において該パッキンの該フランジの下面外周縁と該シェルの該内方変位部の該上端縁の最小内周縁との半径方向間隔Ｄ２は０．１乃至１．０ｍｍである。容器蓋を容器の口頸部に装着した状態において該パッキンの該付加垂下部の該外周面は下方に向かって半径方向内方に傾斜する逆円錐台形状をなし、半径方向において該付加垂下部の該外周面上端と該シェルの該内方変位部の該上端縁の最小内周縁とは実質上整合せしめられているのが好適である。該パッキンの周縁部上面には環状突条が形成されており、該環状突条が該シェルの該天面壁の内面に当接せしめられるのが好都合である。好適には、該パッキンの下面には該外側シールリングから半径方向内方に間隔をおいて垂下する環状内側リングも形成されており、容器蓋を容器の口頸部に装着した状態において該内側リングは容器の口頸部内に挿入せしめられる。容器の口頸部に装着される際には該シェルの該天面壁と該スカート壁との境界部が下方及び半径方向内方に没入せしめられるのが好都合である。
【発明の効果】
【０００９】
本発明の容器蓋においては、シェルとパッキンとが相対的に移動自在である故に、容器の口頸部を開封するためにシェルの周方向破断ラインを破断せしめる際には、口頸部に密接せしめられているパッキンを回転せしめる必要がなく、シェルのみを回転せしめればよく、従って開封の際の初期必要回転トルクを充分に小さい値にせしめることができる。容器の口頸部に装着した状態においてシェルの内方変位部の上端縁がパッキンのフランジの下面に０．３乃至３．５ｍｍである間隔Ｄ１をおいて対向している故に、シェルの周方向破断ラインが破断されシェルの天面壁及びスカート壁の主部が所定間隔Ｄ１だけ上昇した後に、シェルの内方変位部の上端縁がパッキンのフランジの下面に当接し、かくしてシェルの天面壁及びスカート壁の主部の上昇と共にパッキンが上昇せしめられ、従ってシェルの周方向破断ラインが破断された後にパッキンが上昇せしめられて口頸部から離隔され口頸部の密封が解除される。パッキンの周縁部が過剰に撓んでフランジがシェルの内方変位部の下方に移動してしまうことは付加垂下部が内方変位部の内周面に当接することによって確実に防止される。加えて、後述する実施例及び比較例から明確に理解されるとおり、充分な耐衝撃性と共に適切なブローオフ特性を有する。
【発明を実施するための最良の形態】
【００１０】
以下、本発明に従って構成された容器蓋の好適実施形態を図示している添付図面を参照して、更に詳細に説明する。
【００１１】
本発明に従って構成された容器蓋の好適実施形態を図示している図１を参照して説明すると、全体を番号２で示す容器蓋は、アルミニウム基合金薄板の如き適宜の金属薄板から形成されているシェル４と、かかるシェル４とは別個に適宜の合成樹脂、例えば            スチレン系エラストマとポリプロピレンとのブレンド樹脂、から形成されているパッキン６とから構成されている。
【００１２】
シェル４は円形天面壁８とこの天面壁８の周縁から垂下する全体として円筒形であるスカート壁１０とを有する。天面壁８の中央部は周縁部に対して没入せしめられている。更に詳述すると、天面壁８は実質上水平に延在する環状周縁部８ａ、逆円錐台形状である中間部８ｂ及び実質上水平である中央没入部８ｃを有する。シェル４のスカート壁１０の下部には周方向破断ライン１２が形成されており、スカート壁１０は周方向破断ライン１２よりも上方の主部１４と周方向破断ライン１２よりも下方のタンパーエビデント裾部１６とに区画されている。図示の実施形態においては、スカート壁１０の下部に環状膨出部１８が形成されており、かかる環状膨出部１８に、周方向に間隔をおいて周方向に延びるスリット２０とかかるスリット２０間に存在する橋絡部２２とから構成されている周方向破断ライン１２が配設されている。スカート壁１０の主部１４には環状溝部２４が形成されている。また、環状溝部２４よりも上方には、周方向に間隔をおいて複数個の通気孔２６が配設されている。図１と共に図２を参照することによって明確に理解される如く、通気孔２６の各々は、周方向に間隔をおいて実質上水平に延びる横スリット２８を形成すると共に、かかる横スリット２８の下方部を半径方向内方に強制して内方変位部３０を生成することによって形成されている。
【００１３】
図１と共に図２を参照して説明を続けると、パッキン６は全体として円板形状である主壁部３２を有する。かかる主壁部３２は実質上水平に延在する周縁部３２ａ、逆円錐台形状の中間部３２ｂ及び実質上水平である没入中央部３２ｃを有する。主壁部３２の周縁部３２ａの上面には環状突条３４が形成されている。
【００１４】
主壁部３２の周面部３２ａの下面には、そこから垂下する２条の環状リング、即ち環状外側シールリング３６及び環状内側リング３８が形成されている。外側シールリング３６の内周面３６ａは容器蓋２の中心軸線に対して傾斜角度αをなして下方に向かって半径方向外方に傾斜する円錐台形状であり、傾斜角度αは２０乃至４０度、好ましくは２５乃至３５度、であることが重要である。外側シールリング３６に対して半径内方に離隔して位置する内側リング３８は、外側シールリング３６よりも長く垂下せしめられており、略鉛直に延び次いで下方に向かって半径方向内側に幾分傾斜して延びる外周面、略鉛直に延びる内周面及び比較的幅狭の下面を有し、外周面の下端部と下面の外周縁部は滑らかな曲面によって接続されている。半径方向に見て、主壁部３２の上面に配設されている上記環状突条３４は外側シールリング３６と内側リング３８との間に位置する。
【００１５】
外側シールリング３６には、その下面から更に下方に垂下する付加垂下部４０及びその半径方向外側に位置する環状フランジ４２が付設されていることが重要である。付加垂下部４０は周方向に連続して延在する環状であるのが好都合である。付加垂下部４０の内周面４０ａは外側シールリング３６の内周面３６ａに対して半径方向外方に変位せしめられており、外側シールリング３６の内周面３６ａの下端と付加垂下部４０の内周面４０ａの上端との間には実質上水平に延在する下方に面した環状肩面４４が形成されている。環状肩面４４の半径方向幅は０．１乃至０．５ｍｍ程度であるのが好適である。付加垂下部４０の内周面４０ａも下方に向かって半径方向外方に傾斜する円錐台形状でよい。付加垂下部４０の外周面４０ｂは実質上鉛直に延びる円筒形状或いは下方に向かって幾分半径方向内側に傾斜する逆円錐台形状であるのが好適である。付加垂下部４０の下面４０ｃは実質上水平に延びる環状平面でよい。外側シールリング３６の外側に付設されたフランジ４２は実質上水平に延在する環状平面である下面４２ｃを有する。図示の実施形態においては、フランジ４２の下面４２ｃは外側シールリング３６の下面（即ち環状肩面４４）と実質上同一平面内に位置せしめられている。フランジ４２は実質上鉛直な円筒形状である外周面４２ｂ及び略円錐台形状である上面４２ｄも有する。フランジ４２の上面４２ｄは主壁部３２の上面の延長面を形成している。かようなパッキン６はシェル４内に挿入され、図２を参照することによって理解される如く、パッキン６のフランジ４２は弾性的に変形することによってシェル４における内方変位部３０の上端縁を通過せしめられる。
【００１６】
図３には上述した容器蓋２と共にこの容器蓋２が適用される容器の口頸部４６も図示されている。クロム酸処理鋼薄板、アルミニウム基合金薄板或いはブリキ薄板から形成することができる容器の口頸部４６は全体として略円筒形状であり、その軸線方向中央部には雄螺条４８が形成され、かかる雄螺条４８の下方には環状膨出形状である係止あご部５０が形成されている。口頸部４６の上部は上方に向かって直径が漸次減少する円錐台形状にせしめられており、口頸部４６の上端には外巻カール５２が形成されている。カール５２は、断面図において上方に延び、上方及び半径方向外方に向かって円弧状に延び、下方及び半径方向外方に向かって円弧状に延び、下方に延び、下方及び半径方向内方に向かって円弧状に延び、そして更に上方及び半径方向内方に向かって円弧状に延びている。かような口頸部４６を備えた金属製容器自体は周知であるので、金属製容器自体についての詳細な説明は本明細書においては省略する。
【００１７】
容器の口頸部４６に容器蓋２を装着して口頸部４６を密封するための装着操作の一例を説明すると、次のとおりである。容器内に充填する内容物がコーヒである場合には、通常、容器内にコーヒを充填した後に、窒素ガスを容器内に導入して容器の上端部に存在する空間の空気を容器内から排除すると共に水蒸気を容器内に導入し、しかる後に口頸部４６に容器蓋２を被嵌する。温度低下によって水蒸気が液化されると、容器蓋２が被嵌された容器内が減圧状態になり、かかる減圧によって容器蓋２、特にそのパッキン６が吸引され、図３に図示する如く、パッキン６の内側シールリング３８が口頸部４６内に進入せしめられ、かくして口頸部４６が仮密封される。かかる状態においては、パッキン６がシェル４に対して相対的に上昇せしめられ、パッキン６の主壁部３２の周縁部３２ａの上面に形成されている環状突条３４（図２も参照されたい）がシェル４の天面壁８の周縁部８ａの内面に当接せしめられる。
【００１８】
次いで、図４に図示する如く、平坦な環状下面を有する押圧工具５４をシェル４の天面壁８に押圧せしめると共に、下方を向いた肩部５８を有する押圧工具５６を天面壁８とスカート壁１０との境界部に作用せしめて、かかる境界部を下方及び半径方向内方に没入せしめる。かくすると、図５に明確に図示する如く、パッキン６の主壁部３２の周縁部３２ａの上面に形成されている環状突条３４がシェル４の天面壁８の周縁部８ａの内面に密接せしめられ、そしてまたパッキン６の外側環状シールリング３６の内周面３６ａが口頸部４６の外巻カール５２の外周面上部に密接せしめられて口頸部４６が密封される。パッキン８の付加垂下部４０の内周面４０ａは口頸部４６の外巻カール５２の外周面に密接されることなく幾分離隔されている。更に、シェル４のスカート壁１０に螺条形成工具６０を作用せしめて、環状溝部２４(図１）から下方に向けて口頸部４６の雄螺条４８に沿って雌螺条６２を形成する。また、スカート壁１０のタンパーエビデント裾部１６の下部に係止工具６４を作用せしめて、タンパーエビデント裾部１６の下部を半径方向内方に強制して口頸部４６の係止あご部５０に係止せしめる。押圧工具５４及び５６、螺条形成工具６０並びに係止工具６４の構成、そしてまたこれらによる蓋締加工は当業者には周知の形態でよく、従ってこれらについての詳細な説明は本明細書においては省略する。
【００１９】
図４及び図５を参照して説明を続けると、上述したとおりにして容器の口頸部４６に容器蓋２を所要とおりに装着した状態において、シェル４のスカート壁１０に生成されている内方変位部３０の上端縁とパッキン６のフランジ４２の下面との間には、０．３乃至３．５ｍｍある間隔Ｄ１が存在せしめられていることが重要である。そしてまた、パッキン６のフランジ４２の下面４２ｃの外周縁とシェル４の内方変位部３０の上端縁の最小内周縁との半径方向間隔Ｄ２は０．１乃至１．０ｍｍであるのが好適である。更に、パッキン６の付加垂下部４０の外周面４０ｂは下方に向かって半径方向内方に傾斜する逆円錐形状をなし、半径方向において付加垂下部４０の外周面４０ｂの上端と内方変位部３０の上端円の最小内周縁とは実質上整合せしめられているのが好適である。
【００２０】
容器に充填された内容物がコーヒである場合、通常、上述したとおりにして口頸部４６に容器蓋２を装着した後に、容器を例えば１３０℃程度に加熱して殺菌し、しかる後に容器に上水でよい冷却水を噴射して冷却する。容器に噴射される冷却水はシェル４のスカート壁１０に形成されている通気孔２６を通してシェル4内に進入するが、パッキン６の上面、特に環状突条３４がシェル４の天面壁８の内面に押圧せしめられている故に、シェル４の天面壁８の没入中央部８ｃとパッキン６の没入中央部３２ｃとの間まで冷却水が進入することは確実に阻止される。
【００２１】
容器の口頸部４６を開封して内容物を消費する際には、容器蓋２のシェル４を開方向、即ち図４において上方から見て反時計方向に回転せしめる。かくすると、口頸部４６の雄螺条４８とシェル４の雌螺条６２との協働によってシェル４は回転と共に上昇せしめられる。しかしながら、シェル４のタンパーエビデント裾部１６は口頸部４６の係止あご部５０に係止せしめられている故に上昇が阻止され、これによってシェル４のスカート壁１０に形成されている周方向破断ライン１２の橋絡部に相当な応力が生成され、周方向破断ライン１２が破断される。かような周方向破断ライン１２の破断の際には、口頸部４６に密接せしめられているパッキン６はシェル４とは別個に形成されている故に、口頸部４６に密接せしめられているパッキン６の回転を伴うことなくシェル４のみを回転せしめることができるので、過大なトルクを必要とすることなく充分容易に周方向破断ライン１２の破断を遂行することができる。
【００２２】
周方向破断ライン１２が破断された後においては、タンパーエビデンント裾部１６を残留せしめて、シェル４の天面壁８及びスカート壁１０の主部１４は回転と共に上昇せしめられる。シェル４の天面壁８及びスカート壁１０の主部１４が上記間隔Ｄ１に渡って上昇せしめられると、図６に図示する如く、シェル４に生成されている内方変位部３０の上端縁がパッキン６のフランジ４２の下面４２ｃに当接せしめられる。しかる後においては、シェル４の天面壁８及びスカート壁１０の主部１４の上昇に付随してパッキン６も上昇せしめられ、従って口頸部４６からパッキン６が上方に離隔せしめられて口頸部４６の密封が解除され、更に口頸部４６からシェル４の天面壁８及びスカート壁１０の主部１４と共にパッキン６が離脱され、口頸部４６が開封される。口頸部４６からパッキン６が上方に離隔されて口頸部４６の密封が解除されるのは、シェル４における周方向破断ライン１２が破断されてシェル４の天面壁８及びスカート壁１０の主部１４が上記間隔Ｄ１に渡って上昇せしめられた後であり、周方向破断ライン１２の破断に先立って口頸部４６の密封が解除されることはない。シェル４の内方変位部３０がパッキン６のフランジ４２の下面４２ｃに当接せしめられると、パッキン６の周縁部、特にフランジ４２が上方及び半径方向内方に撓む傾向があるが、かかる撓みは付加垂下部４０の外周面が内方変位部３０の内周面に当接することによって制限され、従ってパッキン８のフランジ６がシェル４の内方変位部３０の上端縁を越えて下方に移動してしまう、換言すれば内方変位部３０の上端縁がパッキン８のフランジ４２を越えて上方に移動してしまう所謂すっぽ抜けが発生することが確実に防止される。
【００２３】
容器の内容物の一部のみを消費した場合には、口頸部４６から離脱せしめたシェル４の天面壁８及びスカート壁１０の主部１４と共にその内部に保持されているパッキン６を口頸部４６に被嵌し、シェル４の雌螺条６２を口頸部４６の雄螺条４８に再び螺合せしめ、かくして口頸部４６を再密封することができる。
【００２４】
上述した実施形態においては、口頸部４６を開封する際にはシェル４のスカート壁１０に形成されている周方向破断ライン１２が周方向全体に渡って破断され、タンパーエビデント裾部１６がスカート壁１０の主部１４から完全に分離されるが、所望ならばタンパーエビデント裾部１６に１個或いは２個以上の軸線方向破断ラインを配設し、口頸部４６を開封する際には、周方向破断ラインは完全に破断されることなくその一部は残留され、軸線方向破断ラインが破断されることによってタンパーエビデント裾部が無端環状から有端帯状に展開され、タンパーエビデント裾部を含むシェル４の全体が口頸部４６から離脱されるようにせしめることもできる。
【００２５】
次に実施例及び比較例について説明する。
実施例１
厚さ０．２５ｍｍのアルミニウム基合金から図１及び図２に図示するとおりの形態の、呼び径３８ｍｍの口頸部用シェルを形成した。また、スチレン系エラストマとポリプロピレンとのブレンド樹脂から図１及び図２に図示するとおりのパッキンを形成した。そして、かかるパッキンをシェル内に挿入し、かくして図１及び図２に図示するとおりの容器蓋を形成した。パッキンにおける外側シールリングの内周面は容器蓋の中心軸線に対して３０度の傾斜角度αをなし、内周面の上端の直径は３２．６０ｍｍで下端の直径は３３．８５ｍｍであった。外側シールシングの下面から垂下する付加垂下部の垂下長さは０．９ｍｍであり、外側シールリングの内周面と付加垂下部の内周面との間の肩面の半径方向幅は０．２５ｍｍであった。また、パッキンのフランジ下面の半径方向幅は０．６５ｍｍであった。
【００２６】
落下衝撃試験
東洋製罐株式会社から商品名「ＴＥＣ２００」として販売されている、呼び径３８ｍｍで図３、図4及び図８に図示するとおりの形態の口頸部を有し、内容積が２１５．５ｍｌであるクロム酸処理鋼板製容器に、８５℃±２℃の水を１９０ｇ充填した。次いで、上記容器蓋を図４を参照して説明したとおりの様式で容器の口頸部に装着して、口頸部を密封した。しかる後に、１２３℃で２１分間レトルト処理し、次いで常温（約２３℃）で徐冷し、その後に夫々５℃、２３℃及び６０℃の保管室に２４時間保管し、かくしてサンプルＡ（５℃保管）、サンプルＢ（２３℃保管）及びサンプルＣ（６０℃保管）を作成した。
【００２７】
上記サンプルＡ、Ｂ及びＣの各々について、夫々、次のとおりの手順で３０ｃｍ、４０ｃｍ及び５０ｃｍ落下衝撃試験を遂行した。倒立状態にせしめたサンプルＡ、Ｂ及びＣを実質上鉛直に配設した円筒内を夫々３０ｃｍ、４０ｃｍ及び５０ｃｍ落下せしめて、上面は水平に対して１０度の傾斜角度で傾斜せしめられている鋼ブロックの上面に衝突せしめた。そして、容器内圧の減圧値の低下（内圧が−３０ＫＰａ以上に上昇したものは漏れが発生したと判断）と充填した水の漏れとによって、漏れが発生したか否かを確認した。夫々、１０個のサンプルＡ、Ｂ及びＣについて落下衝撃試験を遂行した結果は下記表１に示すとおりであり、いずれも漏れの発生は認められなかった。
【００２８】
ブローオフ試験
東洋製罐株式会社から商品名「ＴＥＣ２００」として販売されている、呼び径３８ｍｍで図３、図4及び図８に図示するとおりの形態の口頸部を有し、内容積が２１５．５ｍｌであるクロム酸処理鋼板製容器に、８５℃±２℃の水を１９０ｇ充填した。次いで、上記容器蓋を図４を参照して説明したとおりの様式で容器の口頸部に装着して、口頸部を密封した。しかる後に、１２３℃で２１分間レトルト処理し、次いで常温（約２３℃）で徐冷し、その後に２３℃の保管室に２４時間保管した。しかる後に、一旦容器の口頸部から容器蓋を離脱せしめて口頸部を開封し、水を実質上完全に排出し、クエン酸溶液を１９０ｍｌ充填し、更に容器内圧が０．８ＭＰａになるように調整した重曹粒を投入し、口頸部に容易蓋を再び仮装着して口頸部を密封した。次いで、２３℃の保管室に７２時間保管し、かくしてサンプルＤを作成した。
【００２９】
上記サンプルＤについて、口頸部に装着されている容器蓋を手動で開方向に急激に回動せしめ、この際に容器蓋が飛翔するか否かを確認した。容易蓋が飛翔しなかったことは容器内圧が適宜に開放されたことを意味する。１００個のサンプルＤについてブローオフ試験を遂行した結果は下記表２に示すとおりであり、いずれも容器蓋も飛翔することはなかった。
【００３０】
比較例１
パッキンにおける外側シールリングの内周面は容器の中心軸線に対して１５度の傾斜角度αをなし、内周面の下端の直径は３３．５５ｍｍであったことを除いて実施例１と同様の容器蓋を作成した。
【００３１】
落下衝撃試験
そして、実施例１における落下衝撃試験と同一の様式で落下衝撃試験を遂行した結果、下記表１に示すとおりであり、いずれも漏れの発生は認められなかった。
【００３２】
ブローオフ試験
また、実施例１におけるブローオフ試験と同一の様式でブローオフ試験を遂行した。その結果は下記表２に示すとおりであり、手動で容器蓋を回動せしめる前に容器蓋が飛翔してしまった自然飛翔が２個発生し、手動で開方向に急激に回動せしめる際に容器蓋が飛翔したものが３個存在した。かかる事実は容器内圧の開放が適宜になされなかったことを示している。
【００３３】
比較例２
パッキンにおける外側シールリングの内周面は容器の中心軸線に対して４５度の傾斜角度αをなし、内周面の下端の直径は３４．３５ｍｍであったことを除いて実施例１と同様の容器蓋を作成した。
【００３４】
落下衝撃試験
そして、実施例１における落下衝撃試験と同一の様式で落下衝撃試験を遂行した結果、下記表１に示すとおりであり、サンプルＡ、サンプルＢ及びサンプルＣのいずれにおいても１乃至４個において漏れの発生が認められた。
【００３５】
ブローオフ試験
また、実施例１におけるブローオフ試験と同一の様式でブローオフ試験を遂行した。その結果は下記表２に示すとおりであり、いずれの容器蓋も飛翔することはなった。
【００３６】
【表１】
2006151405.tif 000003
【００３７】
【表２】
2006151405.tif 000004
【図面の簡単な説明】
【００３８】
【図１】本発明に従って構成された容器蓋の好適実施形態を、一部を断面図で示す正面図。
【図２】図１の容器蓋の一部を示す拡大部分断面図。
【図３】図１の容器蓋を容器の口頸部に装着するために口頸部に被嵌した状態を、一部を断面図で示す正面図。
【図４】図１の容器蓋を容器の口頸部に所要とおりに装着した状態を、一部を断面図で示す正面図。
【図５】図１の容器蓋を容器の口頸部に所要とおりに装着した状態を示す、部分拡大断面図。
【図６】容器の口頸部を開封する際の、パッキンに対してシェルが上昇せしめられシェルの内方変位部がパッキンの環状フランジの下面に当接した状態を、一部を断面図で示す正面図。
【符号の説明】
【００３９】
２：容器蓋
４：シェル
６：パッキン
８：天面壁
１０：スカート壁
１２：周方向破断ライン
１４：スカート壁の主部
１６：タンパーエビデント裾部
２６：通気孔
２８：横スリット
３０：内方変位部
３２：主壁部
３４：環状突条
３６：外側シールリング
３６ａ：外側シールリングの内周面  
３８：内側環状リング
４０：付加垂下部
４０ａ：付加垂下部の内周面
４０ｂ：付加垂下部の外周面
４２：フランジ
４２ｃ：フランジの下面
４６：容器の口頸部
【図１】
2006151405.tif 000005
【図２】
2006151405.tif 000006
【図３】
2006151405.tif 000007
【図４】
2006151405.tif 000008
【図５】
2006151405.tif 000009
【図６】
2006151405.tif 000010